(57)【特許請求の範囲】
【請求項１】
制御レバー、台座（６）および制御スイッチを含み、制御スイッチが台座（６）内に取り付けられ、制御レバーが台座（６）に可動接続される洗濯機の偏心制御用のデュアルストローク安全スイッチであって、前記制御スイッチが第１制御スイッチ（３）および第２制御スイッチ（４）を含み、前記制御レバーが、第１制御スイッチ（３）および第２制御スイッチ（４）をそれぞれオフにする２つの操作ストロークを有し、第１制御スイッチ（３）をオフにする制御レバーの操作ストロークが、第２制御スイッチ（４）をオフにする制御レバーの操作ストロークより小さく、
前記第１制御スイッチ（３）がオフのとき、前記洗濯機は脱水の減速または注水脱水を行って偏心を修正するように制御され、前記第１制御スイッチ（３）および前記第２制御スイッチ（４）がいずれもオフのとき、前記洗濯機は脱水を一時停止し、水を補充して偏心を修正するように制御されることを特徴とする洗濯機の偏心制御用のデュアルストローク安全スイッチ。
【請求項２】
前記第１制御スイッチ（３）および第２制御スイッチ（４）が台座（６）内に並列に取り付けられ、第１制御スイッチ（３）が第２制御スイッチ（４）の外側に設置され、前記第１制御スイッチ（３）は水槽の変位ストロークが８〜１８ｍｍのときオフになり、第１制御スイッチはオフになり；第２制御スイッチ（４）は水槽の変位ストロークが１８ｍｍ以上のときオフになることを特徴とする、請求項１に記載の洗濯機の偏心制御用のデュアルストローク安全スイッチ。
【請求項３】
前記制御レバーの中部が台座（６）に回転可能に接続され、制御レバーの一端が洗濯機の水槽と筐体との間に設置されて、水槽の偏心により衝突され；制御レバーのもう一端が第１制御スイッチ（３）、第２制御スイッチ（４）と接触し、自然な状態で第１制御スイッチ（３）、第２制御スイッチ（４）を同時にオンにし、水槽が偏心した状態で第１制御スイッチ（３）および／または第２制御スイッチ（４）をオフにすることを特徴とする、請求項１に記載の洗濯機の偏心制御用のデュアルストローク安全スイッチ。
【請求項４】
前記第１制御スイッチ（３）および第２制御スイッチ（４）が、台座（６）内に並列に取り付けられ、いずれも制御レバーの台座（６）に近い一端の下方に設置され、第１制御スイッチ（３）が制御レバーにおける該端の端部の近くに設置され；前記第１制御スイッチ（３）、第２制御スイッチ（４）は自然な状態で同時にオンになり、水槽が偏心した状態で第１制御スイッチ（３）のみがオフになるか、または第１制御スイッチ（３）および第２制御スイッチ（４）がいずれもオフになることを特徴とする、請求項１、または２、または３に記載の洗濯機の偏心制御用のデュアルストローク安全スイッチ。
【請求項５】
前記第１制御スイッチ（３）および第２制御スイッチ（４）が、台座（６）内に並列に独立して設置されるか、または前記第１制御スイッチ（３）および第２制御スイッチ（４）が、台座（６）内に一体成型により設置され；前記第１制御スイッチ（３）は第１制御ボタン（３０１）を有し、第２制御スイッチ（４）は第２制御ボタン（４０１）を有し、第１制御ボタン（３０１）および第２制御ボタン（４０１）は並列に設置され、第１制御ボタン（３０１）が制御レバーの端部の近くに設置されることを特徴とする、請求項４に記載の洗濯機の偏心制御用のデュアルストローク安全スイッチ。
【請求項６】
前記制御レバーが制御レバーヘッド（１）および制御レバー台（２）を含み、制御レバーヘッド（１）が洗濯機の水槽と筐体との間に設置されて、水槽の偏心により衝突され；制御レバー台（２）が第１制御スイッチ（３）および第２制御スイッチ（４）と接触し、自然な状態で第１制御スイッチ（３）、第２制御スイッチ（４）を同時にオンにし、水槽が偏心した状態で、第１制御スイッチ（３）および／または第２制御スイッチ（４）をオフにすることを特徴とする、請求項１、または２、または３に記載の洗濯機の偏心制御用のデュアルストローク安全スイッチ。
【請求項７】
前記制御レバーが「Ｌ」型を呈して設置され、「Ｌ」の縦部分が制御レバーヘッド（１）であり、横部分が制御レバー台（２）であり、制御レバーヘッド（１）および制御レバー台（２）の接続部分が、回転軸により台座（６）に回転可能に接続され、前記第１制御スイッチ（３）および第２制御スイッチ（４）が、制御レバー台（２）の下方に並列に設置され、第１制御スイッチ（３）が制御レバー台（２）の端部の近くに設置されることを特徴とする、請求項６に記載の洗濯機の偏心制御用のデュアルストローク安全スイッチ。
【請求項８】
前記制御レバーと台座（６）との間に、制御レバーを復帰させる復帰装置（５）が設置され、前記復帰装置（５）が弾性トーションスプリングまたは弾性引張スプリングであることを特徴とする、請求項１、または２、または３に記載の洗濯機の偏心制御用のデュアルストローク安全スイッチ。
【請求項９】
請求項１〜８のいずれか１項に記載のデュアルストローク安全スイッチを有する洗濯機の偏心制御方法であって、前記洗濯機の脱水過程で、制御盤が前記安全スイッチの動作状態を判断し、安全スイッチの第１制御スイッチ（３）がオフのとき、制御盤は洗濯機に対し、脱水の減速または注水脱水を行って偏心を修正するように制御し、第１制御スイッチ（３）、第２制御スイッチ（４）がいずれもオフのとき、制御盤は洗濯機に対し、脱水を一時停止し、洗濯機に水を補充して偏心を修正するように制御することを特徴とする偏心制御方法。
【請求項１０】
請求項９に記載の洗濯機の偏心制御方法であって、
Ｓ１：脱水プログラムを起動する；
Ｓ２：制御盤が安全スイッチの第２制御スイッチがオフかどうかを判断する；
Ｓ３：オフであると判断した場合、工程Ｓ４に進み、そうでない場合、工程Ｓ６に進む；
Ｓ４：第２制御スイッチの動作回数ＫがＫ≦３を満たすかどうかを判断する；
Ｓ５：Ｋ≦３を満たすと判断した場合、脱水を一時停止し、洗濯機の状態に基づいて水を補充し、負荷の分布を調整する偏心修正プログラムを行って、工程Ｓ１に戻り、そうでない場合、洗濯機は動作を停止して警報を発する；
Ｓ６：制御盤が安全スイッチの第１制御スイッチがオフかどうかを判断する；
Ｓ７：オフであると判断した場合、脱水の回転速度を低下させるか、または注水脱水を実行する偏心修正プログラムを実行して、工程Ｓ２に戻り；そうでない場合、制御盤は動作状態に基づいて、脱水の回転速度を高め、脱水を行う；
を含むことを特徴とする方法。
【発明の詳細な説明】
【技術分野】
【０００１】
本発明は洗濯機の技術分野に関し、具体的に、洗濯機のデュアルストローク安全スイッチおよび洗濯機の偏心制御方法に関する。
【背景技術】
【０００２】
洗濯機の脱水が起動するとき、衣類の偏心が深刻な場合、内槽の回転時の偏心が深刻である。平行の振り幅が比較的大きくなり、外槽が筐体に衝突し、深刻な場合、洗濯機がずれることもある。したがって、洗濯機の脱水が起動するとき、偏心が深刻であると、外槽が筐体に衝突するのを防止するため、洗濯機の上部カバーの下方に１つの安全スイッチを取り付ける。従来の洗濯機の安全スイッチは一般的に１つのマイクロスイッチのみを有し、開閉動作を１回のみを行う。外槽が回転し、偏心が比較的大きいとき、外槽は安全スイッチに衝突し、洗濯機は動作を一時停止する。その後再び脱水プログラムを起動するか、またはパルセータの稼働により、負荷の分布を調整するか、または一部の水を補充し、洗濯を短時間行い、負荷の分布を釣り合わせるなど、その他の方式を行う。これらの調整方式は、いずれも速やかで、効果的に脱水動作を制御することはできず、脱水を一時停止して調整しなければならない。脱水の回転速度の突然の変化が比較的大きい場合、水消費、電力消費、時間消費の問題が存在する。同時に、振動が大きく、騒音が大きい問題も必ず生じる。
【０００３】
したがって、どのようにして洗濯機の脱水動作状態を効果的に制御し、速やかに措置を講じて偏心を修正し、洗濯機の振動が大きい、騒音が大きい問題を防止するかは、解決を急ぐ必要がある技術的問題となっている。
【発明の概要】
【発明が解決しようとする課題】
【０００４】
上記問題を解決するため、本発明の第１の目的は、デュアル操作ストロークの安全スイッチを提供することである。これは、全自動洗濯機の脱水が安定して起動するように制御し、振動を減少させることができる。
【課題を解決するための手段】
【０００５】
本発明は、洗濯機のデュアルストローク安全スイッチを提供する。具体的に、以下の技術案を採用した。
洗濯機のデュアルストローク安全スイッチは、制御レバー、台座および制御スイッチを含む。制御スイッチは台座内に取り付けられ、制御レバーは台座に可動接続される。前記制御スイッチは第１制御スイッチおよび第２制御スイッチを含み、前記制御レバーは、第１制御スイッチおよび第２制御スイッチをそれぞれオフにする２つの操作ストロークを有する。第１制御スイッチをオフにする制御レバーの操作ストロークは、第２制御スイッチをオフにする制御レバーの操作ストロークより小さい。
【０００６】
さらに、前記第１スイッチおよび第２スイッチは台座内に並列に取り付けられ、第１制御スイッチが第２制御スイッチの外側に設置される。前記第１制御スイッチは水槽の変位ストロークが８〜１８ｍｍのときオフになり、第２制御スイッチは水槽の変位ストロークが１８ｍｍ以上のときオフになる。
【０００７】
さらに、前記制御レバーの中部は台座に回転可能に接続され、制御レバーの一端は洗濯機の水槽と筐体との間に設置されて、水槽の偏心により衝突される。制御レバーのもう一端は第１制御スイッチ、第２制御スイッチと接触する。自然な状態で第１制御スイッチ、第２制御スイッチを同時にオンにし、水槽が偏心した状態で第１制御スイッチおよび／または第２制御スイッチをオフにする。
【０００８】
さらに、前記第１制御スイッチおよび第２制御スイッチは、台座内に並列に取り付けられ、いずれも制御レバーの台座に近い一端の下方に設置され、第１制御スイッチが制御レバーにおける該端の端部の近くに設置される。前記第１制御スイッチ、第２制御スイッチは自然な状態で同時にオンになり、水槽が偏心した状態で第１制御スイッチのみがオフになるか、または第１制御スイッチおよび第２制御スイッチがいずれもオフになる。
【０００９】
さらに、前記第１制御スイッチおよび第２制御スイッチは、台座内に並列に独立して設置されるか、または前記第１制御スイッチおよび第２制御スイッチは、台座内に一体成型により設置される。前記第１制御スイッチは第１制御ボタンを有し、第２制御スイッチは第２制御ボタンを有する。第１制御ボタンおよび第２制御ボタンは並列に設置され、第１制御ボタンが制御レバーの端部の近くに設置される。
【００１０】
さらに、前記制御レバーは制御レバーヘッドおよび制御レバー台を含む。制御レバーヘッドは洗濯機の水槽と筐体との間に設置されて、水槽の偏心により衝突される。制御レバー台は、第１制御スイッチおよび第２制御スイッチと接触する。自然な状態で第１制御スイッチ、第２制御スイッチを同時にオンにし、水槽が偏心した状態で第１制御スイッチおよび／または第２制御スイッチをオフにする。
【００１１】
さらに、前記制御レバーは「Ｌ」型を呈して設置され、「Ｌ」の縦部分は制御レバーヘッドであり、横部分は制御レバー台である。制御レバーヘッドおよび制御レバー台の接続部分は、回転軸により台座に回転可能に接続される。前記第１制御スイッチおよび第２制御スイッチは、制御レバー台の下方に並列に設置され、第１制御スイッチが制御レバー台の端部の近くに設置される。
【００１２】
さらに、前記制御レバーと台座との間に、制御レバーを復帰させる復帰装置が設置される。好ましくは、前記復帰装置は弾性トーションスプリングまたは弾性引張スプリングである。
【００１３】
本発明の第２の目的は、上記デュアルストローク安全スイッチを有する洗濯機の偏心制御方法を提供することである。具体的に、以下の技術案を採用した。
洗濯機の偏心測定方法は、前記洗濯機の脱水過程で、制御盤が前記安全スイッチの動作状態を判断する。安全スイッチの第１制御スイッチがオフのとき、制御盤は洗濯機に対し、脱水の減速または注水脱水を行って偏心を修正するように制御する。第１制御スイッチ、第２制御スイッチがいずれもオフのとき、制御盤は洗濯機に対し、脱水を一時停止し、洗濯機に水を補充して偏心を修正するように制御する。
【００１４】
さらに、本発明の洗濯機の偏心測定方法は以下の工程を含む。
Ｓ１：脱水プログラムを起動する。
Ｓ２：制御盤が安全スイッチの第２制御スイッチがオフかどうかを判断する。
Ｓ３：オフであると判断した場合、工程Ｓ４に進み、そうでない場合、工程Ｓ６に進む。
Ｓ４：第２制御スイッチの動作回数Ｋが、Ｋ≦３を満たすかどうかを判断する。
Ｓ５：Ｋ≦３を満たすと判断した場合、脱水を一次停止する。洗濯機の状態に基づいて水を補充し、負荷の分布を調整する偏心修正プログラムを行って、Ｓ１に戻る。そうでない場合、洗濯機は動作を停止して警報を発する。
Ｓ６：制御盤が安全スイッチの第１制御スイッチがオフかどうかを判断する。
Ｓ７：オフであると判断した場合、脱水の回転速度を低下させるか、または注水脱水を実行する偏心修正プログラムを実行して、工程Ｓ２に戻る。そうでない場合、制御盤が動作状態に基づいて、脱水の回転速度を高め、脱水を行う。
【００１５】
本発明の洗濯機のデュアルストローク安全スイッチは、第１制御スイッチおよび第２制御スイッチの２つの制御スイッチを含み、さらに第１制御スイッチおよび第２制御スイッチはいずれも同一の制御レバーにより動作が制御される。しかし、第１制御スイッチおよび第２制御スイッチの動作に対応する制御レバーのストロークは異なり、第２制御スイッチに対応する制御レバーの操作ストロークがより大きい。このように設置すると、制御レバーの操作ストロークは洗濯機の水槽の偏心度により決まり、水槽の偏心度が大きいほど、制御レバーの操作ストロークも大きくなる。
【００１６】
したがって、第１制御スイッチおよび第２制御スイッチの動作に対応する制御レバーのストロークは異なり、実質的に反映するのは水槽の偏心度の違いである。第１制御スイッチのオフは水槽に偏心が生じたことを示すが、偏心度は大きくなく、第２制御スイッチのオフは水槽の偏心が深刻であることを示す。本発明のデュアルストローク安全スイッチは、洗濯機の脱水が起動するとき、洗濯機の脱水動作状態を効果的に制御することができる。負荷の偏心に対して速やかに措置を講じ、偏心を修正する場合、洗濯機に振動が大きく、騒音が大きい現象が生じるのを防止することができる。
【００１７】
これと同時に、本発明の安全スイッチを洗濯機の制御回路中に接続し、第１制御スイッチおよび第２制御スイッチを様々な制御プログラムに対応させる。第１制御スイッチまたは第２制御スイッチが動作するとき、制御プログラムは水槽の偏心状態を判断することができ、さらには相応する偏心修正措置を講じる。例えば、第１制御スイッチがオフになると、洗濯機の水槽に偏心が生じていると説明できるが、偏心度は大きくない。したがって脱水の回転速度を低下させるか、または注水脱水を行う方式を講じて、新たに負荷を分布させ、偏心の修正を実現することができ、従来方法における脱水の回転速度が突然変化することによる水消費、電力消費、時間消費の問題を防止した。第２制御スイッチがオフになると、洗濯機の水槽の偏心が深刻であると説明できる。このとき簡単な減速または注水脱水の方式を講じて、偏心の修正を実現するのは難しいか、または実現することができない。このとき脱水を一時停止する必要があり、新たに水を補充し、負荷の分布を調整して偏心を修正し、その後再び脱水プログラムを起動する。
【００１８】
したがって、本発明の洗濯機の偏心修正方法は、本発明の安全スイッチの動作状態に基づいて、洗濯機の水槽の偏心状態を判断することができ、さらに偏心度に基づいて、より適した偏心修正プログラムを選択する。したがって、本発明の洗濯機の偏心修正方法は、適性がより高く、従来の偏心修正方法に存在する水消費、電力消費、時間消費の問題を一定程度防止することができる。
【００１９】
さらに、本発明の洗濯機の偏心修正方法は、洗濯機の安全で、効果的な脱水動作を保護し、洗濯機の起動時および脱水動作時の大きな振動、大きな騒音を防止し、洗濯機のスマート化レベルを上昇させ、最適な洗濯体験を可能とする。
【図面の簡単な説明】
【００２０】
【図１】図１は、本発明の洗濯機のデュアルストローク安全スイッチにおける立体構造概要図である。
【図２】図２は、本発明の洗濯機のデュアルストローク安全スイッチにおける自然な状態の正面図である。
【図３】図３は、本発明の洗濯機のデュアルストローク安全スイッチにおける自然な状態の断面図である。
【図４】図４は、本発明の洗濯機のデュアルストローク安全スイッチにおける第１制御スイッチがオフの状態の正面図である。
【図５】図５は、本発明の洗濯機のデュアルストローク安全スイッチにおける第１制御スイッチがオフの状態の断面図である。
【図６】図６は、本発明の洗濯機のデュアルストローク安全スイッチにおける第２制御スイッチがオフの状態の正面図である。
【図７】図７は、本発明の洗濯機のデュアルストローク安全スイッチにおける第２制御スイッチがオフの状態の断面図である。
【図８】図８は、本発明の洗濯機における偏心制御方法のフローチャートである。
【発明を実施するための形態】
【００２１】
以下、図を組み合わせて、本発明の洗濯機のデュアルストローク安全スイッチおよび洗濯機の偏心制御方法について、詳細に記載する。
図１、図２、図３、図４、図５、図６および図７に示すように、洗濯機のデュアルストローク安全スイッチは、制御レバー、台座６および制御スイッチを含む。制御スイッチは台座６内に取り付けられ、制御レバーは台座６に可動接続される。前記制御スイッチは第１制御スイッチ３および第２制御スイッチ４を含み、前記制御レバーは、第１制御スイッチ３および第２制御スイッチ４をそれぞれオフにする２つの操作ストロークを有する。第１制御スイッチ３をオフにする制御レバーの操作ストロークは、第２制御スイッチ４をオフにする制御レバーの操作ストロークより小さい。
【００２２】
本発明の台座６は、主に制御スイッチ３、制御スイッチ４および制御レバーを取り付けるのに用いられる。台座６は洗濯機の上部カバーに固定して取り付けられ、本発明のデュアルストローク安全スイッチの固定取付を実現している。本発明の制御レバーは、主に制御スイッチ３および制御スイッチ４の動作を制御するのに用いられ、制御レバーの動作により、制御スイッチ３および制御スイッチ４のオフを実現する。
【００２３】
本発明の洗濯機のデュアルストローク安全スイッチは、第１制御スイッチ３および第２制御スイッチ４の２つの制御スイッチを含み、さらに第１制御スイッチ３および第２制御スイッチ４はいずれも同一の制御レバーにより動作が制御される。しかし、第１制御スイッチ３および第２制御スイッチ４の動作に対応する制御レバーのストロークは異なり、第２制御スイッチ４に対応する制御レバーの操作ストロークがより大きい。このように設置すると、制御レバーの操作ストロークは洗濯機の水槽の偏心度により決まり、水槽の偏心度が大きいほど、制御レバーの操作ストロークも大きくなる。
【００２４】
本発明の前記水槽は全自動洗濯機で言うと、洗濯機の外槽を指し、外槽の下部は吊棒により洗濯機の筐体に取り付けられる。脱水するとき、内槽の偏心が深刻であると、外槽が偏心して振動する。振動の幅が過度に大きいと、「槽に衝突する」現象が起こり、洗濯機の損傷が引き起こされる。
【００２５】
したがって、第１制御スイッチ３および第２制御スイッチ４の動作に対応する制御レバーのストロークは異なり、実質的に反映するのは水槽の偏心度の違いである。第１制御スイッチのオフは水槽に偏心が生じたことを示すが、偏心度は大きくなく、第２制御スイッチ４のオフは水槽の偏心が深刻であることを示す。本発明のデュアルストローク安全スイッチは、洗濯機の脱水が起動するとき、洗濯機の脱水動作状態を効果的に制御することができる。負荷の偏心に対して速やかに措置を講じ、偏心を修正する場合、洗濯機に振動が大きく、騒音が大きい現象が生じるのを防止することができる。
【００２６】
上記から、本発明の第１制御スイッチ３および第２制御スイッチ４のオフは、いずれも制御レバーの運動により実現するものであるため、第１制御スイッチ３および第２制御スイッチ４のオフは、制御レバーのストロークにより決まるものであることがわかる。第１制御スイッチ３および第２制御スイッチ４は、マイクロスイッチを選択するのが好ましい。マイクロスイッチは微小接点間隔およびスナップアクション機構を有し、規定されたストロークおよび規定された力で、開閉動作を行う接点機構であり、ケースで覆われ、その外部にアクチュエータのスイッチを有する。そのスイッチの接点間隔が比較的小さいため、マイクロスイッチまたはセンシティブスイッチとも呼ばれる。
【００２７】
本発明の第１制御スイッチ３および第２制御スイッチ４がオフのとき、対応する洗濯機の水槽の偏心角度は異なる。本発明の好ましい実施方式として、本発明は第１制御スイッチ３および第２制御スイッチ４のオフ時に対応する洗濯機の水槽の偏心角度を示している。具体的に、本発明の前記第１制御スイッチ３および第２制御スイッチ４は台座６内に並列に取り付けられ、第１制御スイッチ３は第２制御スイッチ４の外側に設置される。前記第１制御スイッチ３は、水槽の変位ストロークが１８ｍｍ以上のときオフになり、第２制御スイッチ４は、水槽の変位ストロークが１８ｍｍ以上のときオフになる。
【００２８】
本発明の前記水槽の変位ストロークは、水槽の軸が脱水過程で、自然に取り付けたときから変位する距離である。主に水槽上部の軸であり、水槽カバー部分の軸を選択することもできるが、これは該部分の変位ストロークが最大であるためである。洗濯機の容量により、許容される水槽の変位ストロークの大きさが決まり、一般的な状況では、容量が大きいほど、洗濯機の脱水過程で許容される水槽の変位ストロークは小さくなる。すなわち洗濯機の脱水過程で許容される水槽の変位ストロークは、洗濯機の容量に反比例する。したがって、様々な洗濯機の容量に基づいて、水槽カバーの変位距離は調整され、本発明の安全スイッチの第１制御スイッチ、第２制御スイッチ４の動作点も、これにより調整される。
【００２９】
本発明の制御レバーが第１制御スイッチ３および第２制御スイッチ４を制御し、さらに制御レバーが、水槽の偏心があまり深刻でないとき、第１制御スイッチ３をオフにし、偏心が深刻なとき、第２制御スイッチ４をオフにすることをどのようにして実現するかが、本発明の鍵である。本発明の好ましい実施方式として、前記制御レバーの中部は台座６に回転可能に接続され、制御レバーの一端は洗濯機の水槽と筐体との間に設置されて、水槽の偏心により衝突される。制御レバーのもう一端は第１制御スイッチ３、第２制御スイッチ４と接触する。自然な状態で第１制御スイッチ３、第２制御スイッチ４を同時にオンにし、水槽が偏心した状態で、第１制御スイッチ３および／または第２制御スイッチ４をオフにする。
【００３０】
本発明の制御レバーの動作方式は、「てこ」と類似している。制御レバーの一端が水槽の偏心による圧力を受けると、該端に変位が生じ、これと同時に、制御レバーのもう一端にも変位が生じ、第１制御スイッチ３、第２制御スイッチ４をオンまたはオフにする。本発明の安全スイッチは、自然な状態で、制御レバーが第１制御スイッチ３および第２制御スイッチ４を押さえてオンにし、偏心状態で、偏心の程度に基づいて、制御レバーの一端が圧力を受けて生じる変位の多少により、もう一端に生じる反対方向の変位の多少は決まる。さらには第１制御スイッチ３がオフになるか、または第２制御スイッチ４がオフになるか、さらにまたは第１制御スイッチ３および第２制御スイッチ４のいずれもオフになるかが決まる。
【００３１】
したがって、本発明の制御レバーは２つ設置することができ、それぞれ第１制御スイッチ３および第２制御スイッチ４のオフ、オンを制御する。しかし、２つの制御レバーが第１制御スイッチ３および第２制御スイッチ４の動作を制御することにより生じる制御は異なる。本発明は制御レバーを１つのみ設置し、第１制御スイッチ３および第２制御スイッチ４をオフ、オンにすることもできる。具体的に、以下の技術案を採用する。
本発明の洗濯機のデュアルストローク安全スイッチにおいて、前記第１制御スイッチ３および第２制御スイッチ４は、台座６内に並列に取り付けられる。いずれも制御レバーの台座６に近い一端の下方に設置され、第１制御スイッチ３が制御レバーにおける該端の端部の近くに設置される。前記第１制御スイッチ３、第２制御スイッチ４は自然な状態で同時にオンになり、水槽が偏心した状態で第１制御スイッチ３のみがオフになるか、または第１制御スイッチ３および第２制御スイッチ４がいずれもオフになる。
【００３２】
本発明の前記自然な状態は、安全スイッチを洗濯機に取り付けたときの初期状態であり、すなわち安全スイッチが偏心による圧力を受けていないときの状態である。
【００３３】
本発明の第１制御スイッチ３および第２制御スイッチ４は、同一の制御レバーによりオン、オフが制御され、構造はより簡単であり、取付が便利である。制御レバーにおける第１制御スイッチ３および第２制御スイッチ４の上方に位置する一端の様々な位置に対応する変位は等しくなく、端部に近いほど、変位は大きい。したがって、水槽の偏心度が比較的小さいとき、制御レバーの偏心による変位によって、第１制御スイッチ３は圧力を受けず、制御スイッチ３はオフになる。制御レバーの変位は第２制御スイッチ４が圧力を受けないストロークに達しないため、第２スイッチ４は依然としてオンの状態にある。水槽の偏心度が比較的大きいとき、制御レバーの偏心による変位もより大きくなり、第１制御スイッチ３が制御レバーの圧力を受けずにオフになってから、第２制御スイッチ４も圧力を受けずにオフになる。
【００３４】
したがって、本発明の安全スイッチにおいて、図１、図２および図３に示すように、自然な状態で、第１制御スイッチ３および第２制御スイッチ４はいずれも制御レバーの圧力作用を受け、いずれもオンの状態にある。図４および図５に示すように、水槽の偏心度が比較的小さいとき、第１制御スイッチ３は圧力を受けずにオフになり、第２制御スイッチ４は依然として制御レバーの圧力を受けてオンになる。図６および図７に示すように、水槽の偏心度が深刻なとき、第１制御スイッチ３、第２制御スイッチ４はいずれも制御レバーの圧力を受けず、２つの制御スイッチはいずれもオフの状態にある。
【００３５】
本発明の制御スイッチの設置位置によって、制御スイッチが動作するときの対応する制御レバーのストロークが決まる。したがって、本発明の好ましい実施方式として、前記第１制御スイッチ３および第２制御スイッチ４は、台座６内に並列に独立して設置されるか、または前記第１制御スイッチ３および第２制御スイッチ４は、台座６内に一体成型により設置される。前記第１制御スイッチ３は第１制御ボタン３０１を有し、第２制御スイッチ４は第２制御ボタン４０１を有する。第１制御ボタン３０１および第２制御ボタン４０１は並列に設置され、第１制御ボタン３０１が制御レバーの端部の近くに設置される。
【００３６】
本発明の第１制御ボタン３０１は、第２制御ボタン４０１と比較して、制御レバーの端部のより近くに設置されるが、これは制御レバーの端部の変位がより大きいためである。制御レバーに同様の偏心による変位が生じたとき、第１制御ボタン３０１は先に圧力を受けず、第１制御スイッチ３が先にオフになる。
【００３７】
本発明の好ましい実施方式として、前記制御レバーは制御レバーヘッド１および制御レバー台２を含む。制御レバーヘッド１は洗濯機の水槽と筐体との間に設置されて、水槽の偏心により衝突される。制御レバー台２は、第１制御スイッチ３および第２制御スイッチ４と接触する。自然な状態で第１制御スイッチ３、第２制御スイッチ４を同時にオンにし、水槽が偏心した状態で、第１制御スイッチ３および／または第２制御スイッチ４をオフにする。
【００３８】
具体的に、前記制御レバーは「Ｌ」型を呈して設置され、「Ｌ」の縦部分は制御レバーヘッド１であり、横部分は制御レバー台２である。制御レバーヘッド１および制御レバー台２の接続部分は、回転軸により台座６に回転可能に接続される。前記第１制御スイッチ３および第２制御スイッチ４は、制御レバー台２の下方に並列に設置され、第１制御スイッチ３が制御レバー台２の端部の近くに設置される。
【００３９】
本発明の第１制御スイッチ３および第２制御スイッチ４は、自然な状態のとき、オンの状態にあるべきである。したがって洗濯機が正常に動作して、偏心が存在しないとき、制御レバーは復帰し、第１制御スイッチ３および制御スイッチ４に同時に圧力を付加してオンにするべきである。したがって前記制御レバーと台座６との間に、制御レバーを復帰させる復帰装置５が設置される。好ましくは、前記復帰装置５は弾性トーションスプリングまたは弾性引張スプリングである。
【００４０】
本発明の安全スイッチは洗濯機の制御回路中に接続され、第１制御スイッチ３および第２制御スイッチ４を様々な制御プログラムに対応させる。第１制御スイッチ３または第２制御スイッチ４の動作時、制御プログラムは水槽の偏心状態を判断することができ、さらには相応する偏心修正措置を講じる。
【００４１】
本発明は、上記デュアルストローク安全スイッチを有する洗濯機の偏心制御方法を同時に提供している。前記洗濯機の脱水過程で、制御盤が前記安全スイッチの動作状態を判断する。安全スイッチの第１制御スイッチ３がオフのとき、制御盤は洗濯機に対して、脱水の減速または注水脱水を行って偏心を修正するように制御する。第１制御スイッチ３、第２制御スイッチ４がいずれもオフのとき、制御盤は洗濯機に対し、脱水を一時停止し、洗濯機に水を補充して偏心を修正するように制御する。
【００４２】
本発明の洗濯機の偏心制御方法において、第１制御スイッチ３がオフのとき、洗濯機の水槽に偏心が生じていると説明できるが、偏心度は大きくない。したがって脱水の回転速度を低下させるか、または注水脱水を行う方式を講じて、新たに負荷を分布させ、偏心の修正を実現することができ、従来方法における脱水の回転速度が突然変化することによる水消費、電力消費、時間消費の問題を防止した。第２制御スイッチ４がオフのとき、洗濯機の水槽の偏心が深刻であると説明できる。このとき簡単な減速または注水脱水の方式を講じて、偏心の修正を実現するのは難しいか、または実現することができない。このとき脱水を一時停止する必要があり、新たに水を補充し、負荷の分布を調整して偏心を修正し、その後再び脱水プログラムを起動する。
【００４３】
図８に示すように、本発明の洗濯機の偏心制御方法は、以下の工程を含む。
Ｓ１：脱水プログラムを起動する。
Ｓ２：制御盤が安全スイッチの第２制御スイッチがオフかどうかを判断する。
Ｓ３：オフであると判断した場合、工程Ｓ４に進み、そうでない場合、工程Ｓ６に進む。
Ｓ４：第２制御スイッチの動作回数ＫがＫ≦３を満たすかどうかを判断する。
Ｓ５：Ｋ≦３を満たすと判断した場合、脱水を一時停止し、洗濯機の状態に基づいて水を補充し、負荷の分布を調整する偏心修正プログラムを行って、工程Ｓ１に戻る。そうでない場合、洗濯機を停止して警報を発する。
Ｓ６：制御盤が安全スイッチの第１制御スイッチがオフかどうかを判断する。
Ｓ７：オフであると判断した場合、脱水の回転速度を低下させるか、または注水脱水を実行する偏心修正プログラムを実行し、工程Ｓ２に戻る。そうでない場合、制御盤は動作状態に基づいて、脱水の回転速度を高め、脱水を行う。
【００４４】
本発明の偏心修正方法において、工程Ｓ５で警報を発した後、人が負荷の調整を行う必要があるか、またはメンテナンスを行って、該偏心状況を克服する必要があるかをユーザに知らせる。
【００４５】
したがって、本発明の洗濯機の偏心修正方法は、本発明の安全スイッチの動作状態に基づいて、洗濯機の水槽の偏心状態を判断することができ、さらに偏心度に基づいて、より適した偏心修正プログラムを選択する。したがって、本発明の洗濯機の偏心修正方法は、適性がより高く、従来の偏心修正方法に存在する水消費、電力消費、時間消費の問題を一定程度防止することができる。
【００４６】
さらに、本発明の洗濯機の偏心修正方法は、洗濯機の安全で、効果的な脱水動作を保護し、洗濯機の起動時および脱水動作時の大きな振動、大きな騒音を防止し、洗濯機のスマート化レベルを上昇させ、最適な洗濯体験を可能とする。
【００４７】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、同等に変更した等価実施例に修正または修飾することができるが、いずれも本発明の技術案の内容を逸脱しない。本発明の技術的本質に基づいて、以上の実施例に対して行う簡単な修正、同等の変更および修飾は、いずれも本発明案の範囲内に属する。
【符号の説明】
【００４８】
１  制御レバーヘッド
２  制御レバー台
３  第１制御スイッチ
４  第２制御スイッチ
５  復帰装置
６  台座
３０１  第１制御ボタン
４０１  第２制御ボタン
【図１】
0006617889.tif 000002
【図２】
0006617889.tif 000003
【図３】
0006617889.tif 000004
【図４】
0006617889.tif 000005
【図５】
0006617889.tif 000006
【図６】
0006617889.tif 000007
【図７】
0006617889.tif 000008
【図８】
0006617889.tif 000009